(57)【特許請求の範囲】
【請求項１】
外筒内に縦方向に巻込溝を刻設した表示筒を設け、該表示筒の外側に巡らして赤色と青色の２色に色分けした可撓性の着色フィルムを被覆すると共に、該着色フィルムを巻き取るよう反対方向に回転する一対の巻取ロールを表示筒の内部に配し、
基端にハンドルを配し、該ハンドルにハンドルギアを軸着させ、これに小歯と大歯とを組合せた第１誘導ギアを歯合し、更に同様の小歯と大歯とを組合せた第２誘導ギアを歯合し、該第２誘導ギアに２本の巻取ロールのいずれかを一方に軸着した軸ギアを配し、該軸ギアに互いに同歯数のギアで歯合されたロールギアを軸着して成る反転機構を前記巻取ロールに連結させて介設し、
前記巻取ロールのいずれか一方にモーターを接続し、該モーターを正転及び逆転可能なよう電源との間に三路スイッチを介設した回路を形成し、該回路に反転ギア機構のハンドルの回転操作で入／切するｂ接点スイッチを接続して巻取ロールの所定回転後自動的に停止するようにしたことを特徴とする携帯用誘導棒。
【請求項２】
表示筒内部に、赤色と青色に発光する光源電球を配設した請求項１記載の携帯用誘導棒。
【発明の詳細な説明】
【０００１】
【発明の属する技術分野】
本発明は、交通整理、道路工事等において、警察官、警備員等が携帯して、車輌、通行人に対し、交通の整理、誘導を行なうための誘導棒に関する。
【０００２】
【従来の技術】
現在一般に使用されている誘導棒は、被誘導者にとって、指示者が進行を命じているのか、停止を命じているのかが明確でなく、判断に迷うことが多かった。従って、交通の整理や誘導が不完全となり、渋滞や２次的交通災害を招く恐れがあった。
【０００３】
そこで、これを解消するため、誘導棒に赤又は青に色変化する機能を付与する案として、▲１▼携帯用赤緑信号灯（特開昭６２−１０７３９７号）、及び▲２▼２色合図燈（実開平４−８５５０２号）が公知である。
その概要は、▲１▼が、固定電球の右側には上部２／３は赤、残りの下部１／３は緑フィルタを、反対側には上記フィルタをさかさまにしたフィルタを配置し、両フィルタを同時に上下することにより、三通りの組合わせの信号を出し、交通整理を容易とするものである。
【０００４】
▲２▼は、保護筒の内部に異なる色彩の着色円筒を設け、着色円筒を、光源を覆うように夫々個別に上下にスライドし得るようにしたので、交通整理や誘導等の際に、着色円筒の何れかを上方にスライドさせることにより、停止や進行の夫々の合図に瞬時に切り換えて使用できるものである。
【０００５】
しかし、上記従来技術は、２枚の着色フィルタを上下にスライドさせることで、赤色又は青色に色変化させるので、一方が上にある場合に下にある他方フィルタは隠さねばならず、誘導灯における着色されている部分は長手方向に半分となってしまい、誘導灯全体を有効に着色することができなかった。
【０００６】
又、上下にスライドさせる為の機構が複雑であり、繰り返しの使用には故障が多くなる、等の欠点を有していた。
【０００７】
【発明が解決しようとする課題】
本発明は上記実情に基づきなされたもので、誘導棒の表示部全体を赤色又は青色等に着色表示でき、誘導棒全体を有効に使って進行又は停止の指示を明確にし、更に、機構が簡潔で繰り返しの使用にも耐え得る誘導棒を開発しようとするものである。
【０００８】
【課題を解決するための手段】
本発明誘導棒は、外筒内に縦方向に巻込溝を刻設した表示筒を設け、該表示筒の外側に巡らして赤色と青色の２色に色分けした可撓性の着色フィルムを被覆させると共に、該表示筒の内部に着色フィルムを互に逆方向に巻き取るよう反対方向に回転する一対の巻取ロ−ルを配し、該巻取ロ−ルにハンドルと連結して該ロ−ルを反転自在に回転させる反転ギア機構を介設し、ハンドルの左右回転操作で表示部全体を赤色又青色に着色表示することを特徴として構成される。
【０００９】
該反転機構は、基端にハンドルを配し、該ハンドルにハンドルギアを軸着させ、これに小歯と大歯とを組合せた第１誘導ギアを歯合し、更に同様の小歯と大歯とを組合せた第２誘導ギア２４を歯合し、該第２誘導ギアに２本の巻取ロ−ルのいずれか一方に軸着した軸ギアを配し、該軸ギアに互いに同歯数のギアで歯合されたロ−ルギアを軸着して構成する。
【００１０】
又、該反転機構は、巻取ロ−ルのいずれか一方にモ−タ−を接続し、該モ−タ−を正転及び逆転可能なよう電源との間に三路スイッチを介設した回路を形成し、該回路に反転ギア機構のハンドルの回転動作で入／切するｂ接点スイッチを接続して巻取ロ−ルの所定回転後自動的に停止するように電動機構とする。
【００１１】
又、表示筒内部に、赤色及び青色の光源電球を配設するのが望ましい。
【００１２】
【発明の実施の形態】
本発明は、表示部１０と反転機構部２０柄部３０とから成る。
表示部１０には、一番内側に光源電球１１が数個配され、該電球１１は、赤色光１１ａと青色光１１ｂの２色を配し、表示の変化に合せて交互に点滅させるのが望ましいが、後述の着色フィルムが着光することから、無着色の電球の１種類であっても良い。
【００１３】
該光源電球１１を囲んで、縦長に表示筒１２を配し、該表示筒１２の外側には、赤色部と青色部の２色を一枚に接続した透光性の着色フィルム１３を被せ、内側に着色フィルムを巻き取り可能な一対の巻取ロ−ル１４，１５を互いに並行させて配設し、表示筒１２の縦方向には着色フィルム１３を巻き込むための巻込溝１２ａを刻設する。
例えば、表示筒１２を直径３０ｍｍで長さ３３０ｍｍ程度の透明材質で形成し、そこに該表示筒１２の外側全体を覆うことのできる寸法幅πＲ＝９４．２ｍｍで、赤色フィルム１３ａを透光性で可撓性の材質で形成し、同様に９４．２ｍｍ幅で青色フィルム１３ｂを接続させ、これを連続した１枚のフィルムとする。
尚、一番外側には、内部保護の為の外筒１６を透明材質で形成する。
【００１４】
そして、該着色フィルム１３の一端は、巻込溝１２ａを経て表示筒１２内に誘導され、巻取ロール１４，１５の一方に固着し、該巻取ロール１４に巻き取り可能とする。他方残りの一端も、巻込溝１２ａを経てもう一方の巻取ロール１５に固着し、それを前記巻取ロール１４とは、反対方向に巻き取り可能にする。
即ち、一方の巻取ロール１４に青色フィルム１３ｂが巻き込まれている場合、表示筒１２の外側は全体が赤色フィルム１３ａに覆われ、巻取ロール１４に赤色フィルム１３ａが巻き込まれている場合には、表示筒１２全体が青色フィルム１３ｂで覆われているようにする。
【００１５】
該巻取ロ−ル１４，１５は、反転機構２０に接続される。該反転機構は、基端にハンドル２１を配し、該ハンドル２１に、ハンドルギア２２を軸着し、これに小歯２３ａと大歯２３ｂとが組合された第１誘導ギア２３を歯合し、更に同様の小歯２４ａと大歯２４ｂとが組合された第２誘導ギア２４を歯合する。該第２誘導ギアに巻取ロ−ル１４，１５のいずれか一方に軸着した軸ギア２５を配し、更に、互いに同歯数のギアで歯合されたロ−ルギア２６，２７を軸着させる。
ハンドル２１を左右に回転させた場合、その回転力が第１及び第２の誘導ギア２３，２４を経て、軸ギア２５に伝達され、それがロ−ルギア２６，２７を経て、巻取ロ−ル１４，１５を互いに反対向きに回転させる機構とする。
【００１６】
上記はハンドル２１その他を手動機構とする態様を説明したが、電動式にする態様もある。その場合は、図５に示す如く、巻取ロ−ル１４，１５のいずれか一方に正逆回転可能なモ−タ−を連結させ、これを電源に連結するが、その間に三路スイッチ２８を介設し、該三路スイッチ２８の操作でモ−タ−に正転又は逆転の回転を与える回路を形成する。そして、該回路の一部には、ｂ接点スイッチ２９ａ，２９ｂを配設し、該スイッチ２９ａ，２９ｂは終端のハンドル２１の回転動作によって入／切し、巻取ロ−ルの回転の終了とともに自動的にスイッチが切れる構造とする。
【００１７】
そして、誘導棒の握り杆となる柄部３０には、電池３１を内蔵させ、スイッチ３２を配設する。
【００１８】
本実施形態の作用を説明すると、先ず、該誘導棒１にて車両のドライバ−や歩行者に停止を指示する場合には、ハンドル２１を右又は左の定められた一方向に回す。
すると、該ハンドル２１の回転動が反転機構２０のハンドルギア２２を回し（正方向）、これに歯合した第１誘導ギア２３の小歯２３ａ及び同軸の大歯２３ｂを逆方向に回転させる。連れて、第２誘導ギア２４の小歯２４ａ及び同軸の大歯２４ｂを正方向に回転させ、これに歯合した軸ギア２５を逆方向に回転させる。すると、該軸ギア２５と同軸の巻取ロ−ル１４が逆方向に回転すると共に、ロ−ルギア２６が正方向に回転し、他方の巻取ロ−ル１５を正方向に回転させる。
【００１９】
上記反転機構２０の動きにより、巻取ロ−ル１４，１５が互に向合って反対方向に回転し、その結果、該ロ−ル１４の一端に固着した着色フィルム１３（例えば青色フィルム１３ｂ）が巻き込まれ、他方のロ−ル１５からは、巻着した赤色フィルム１３ａが繰り出される。
そして、繰り出される赤色フィルム１３ａは巻込溝１２ａを経て、表示筒１２の筒体表面を伝って、その表面を覆いつつ、他方の巻取ロ−ル１４に巻き込まれる青色フィルム１３ｂに引張られる。一方、該青色フィルム１３ｂはその巻き込み作用により巻込溝１２ａを経て巻取ロ−ル１４に巻着される。
【００２０】
この結果、青色フィルム１３ｂは巻取ロ−ル１４側に巻着されて、表示筒１２内に隠れるが、一方、赤色フィルム１３ａは繰り出されて表示筒１２の全体を覆う（図３（Ａ）参照）。従って、透明の外筒１６の外側からドライバ−等がこれを観察すると、誘導棒全体が赤色に表示されていると識別できる。
【００２１】
更に、夜間等には光源電球１１のスイッチ３２を押すと、赤色の電球に点灯され、それが点滅表示等で発光すると、一層はっきりと誘導棒の赤色を認識することができる。
【００２２】
次に、逆に進行を指示する場合には、上記と全く逆の操作を行ない、ハンドル２１を逆方向に回転させる。すると、上記と逆に反転機構２０のハンドルギア２２、第１誘導ギア２３及び第２誘導ギア２４が上記とは反対方向に回転し、巻取ロ−ル１４，１５を上記とは反対方向に回転させる。
【００２３】
すると、巻取ロ−ル１５の一端に固着した赤色フィルム１３ａが巻き込まれ、他方のロ−ル１４からは、巻着した青色フィルム１３ｂが繰り出され、青色フィルム１３ｂは巻込溝１２ａを経て、表示筒１２の表面を覆いつつ、他方の巻取ロ−ル１５に巻き込まれる赤色フィルム１３ａに引張られる。一方、該青色フィルム１３ｂはその巻き込み作用により巻込溝１２ａを経て巻取ロ−ル１５に巻着される。この結果、赤色フィルム１３ａが表示筒１２内に隠れ、青色フィルム１３ｂが繰り出されて表示筒１２の全体を覆う（図３（Ｂ）参照）。
【００２４】
この反転操作は一瞬のうちに完了し、且つ、ギア及びロ−ルによる作動機構は確実で故障が少ない。
【００２５】
又、電動式とした態様では、三路スイッチ２８の操作で、モ−タ−に対して正転及び逆転が交互に与えられるので、該三路スイッチ２８の操作だけでモ−タ−の正転及び逆転が巻取ロ−ル１４，１５に伝えられ、巻取ロ−ル１４，１５を正逆転させることができる。そのとき、反転機構２０のハンドル２１でｂ接点スイッチ２９ａ，２９ｂが入／切するので、所定回転の後回路が切断され、自動的に巻取ロ−ル１４，１５の回転を終了させることができる。
【００２６】
【発明の効果】
本発明は、誘導棒の表示部を占める表示筒を余す処なく全体を赤色又は青色の着色フィルムで覆うことができるので、表示部全体を着色表示でき、その有効性が最も高く、被誘導者は、遠方からでも、警察官や警備員の指示を明確に判別でき、安心して通行できるという優れた効果を奏する。
且つ、その切り換えを手動で行なえば、消費電力が少なく、夜間に長時間使用しても電池交換を必要とせず、又、電動式とすれば、消費電力は大きいがスイッチ操作のみで簡単に切り換えを行うことができる。
又、機構が簡潔なので故障が少なく、確実な操作を持続させることができる。
【図面の簡単な説明】
【図１】本発明誘導棒の縦断側面図。
【図２】本発明誘導棒の全体斜視図。
【図３】本発明誘導棒の縦断正面図で、（Ａ）赤色フィルムが表示され、（Ｂ）が青  色フィルムが表示された場合を示す。
【図４】本発明誘導棒の反転機構部を示す一部切欠平面図。
【図５】本発明誘導棒の反転機構部を電動機構とした場合の電気回路図。
【符号の説明】
１０    表示部
１１    電球
１２    表示筒
１２ａ  巻込溝
１３    着色フィルム
１３ａ  赤色フィルム
１３ｂ  青色フィルム
１４，１５    巻取ロ−ル
１６    外筒
２０    反転機構
２１    ハンドル
２２    ハンドルギア
２３    第１誘導ギア
２４    第２誘導ギア
２５    軸ギア
２６，２７  ロ−ルギア
２８    三路スイッチ
２９ａ，２９ｂ    ｂ接点スイッチ
３０  柄部
３１  電池
３２  スイッチ
【図１】
0003706893.tif 000002
【図２】
0003706893.tif 000003
【図３】
0003706893.tif 000004
【図４】
0003706893.tif 000005
【図５】
0003706893.tif 000006